(57)【要約】【課題】アジャスタ管を排水ソケットに仮組みすることなく寸法出しすることができる型紙と、この型紙を用いた便器施工方法を提供する。【解決手段】型紙８０の延出片８４をトイレルームの壁面Ｗに当接させ、該型紙８０を床面の洋風便器設置予定域上に平たく広げる。洋風便器の機種に応じた掛書き孔８６ａ〜８６ｅのいずれかを利用して、ビス打ち予定位置を床面に掛書く。指示部８８に、バラした単品状態のアジャスタ管３６の基端を揃え、該アジャスタ管３６を型紙８０の側辺に沿って前方に延在させる。そして、既設フランジ１２の中心に合わせて切断予定線Ｌをアジャスタ管３６に掛書く。その後、この線Ｌに沿ってアジャスタ管３６を切断し、アジャスタ管３６の両端に接着剤を塗って排水ソケット３２及びエルボ体３４に差し込み、排水器具３０を組み立てる。【選択図】図３
2010101165.tif 000002
【特許請求の範囲】
【請求項１】
トイレルームの床面の排水管と洋風便器の排水口の位置がずれる場合の便器施工に用いられる型紙において、
後端側をトイレルームの壁面に当接させ、前方に向ってトイレルーム床面上の洋風便器設置予定位置に展延される型紙であって、
該排水管と排水口とを接続する排水器具の横引きアジャスタ管の基端位置を示す指示部が設けられていることを特徴とする型紙。
【発明の詳細な説明】
【技術分野】
【０００１】
本発明は、トイレルームに洋風便器を据え付けるための工法とそれに用いる型紙に関するものである。詳しくは、トイレルーム床面の既設排水管と、据え付けようとする洋風便器の排水口の位置とがずれる場合に、該排水管と排水口とを排水器具で接続するようにした工法とそのための型紙とに関する。さらに詳しくは、この排水器具の横引きアジャスタ管の長さ調節のための寸法出しを容易に行うことができる型紙と、この型紙を用いた便器施工方法とに関する。
【背景技術】
【０００２】
トイレのリフォームを行うに際し、古い便器を新しい洋風便器に付け替える場合、既設の排水管と新しい洋風便器の排水口とがずれることが多い。この場合、横引きアジャスタ管を有した排水器具をトイレルーム床面に設置して洋風便器の排水口と排水管とを導通する。
【０００３】
かかる排水器具を用いた洋風便器据え付け方法について第４図〜第１０図を参照して説明する。
【０００４】
第４図の通り、トイレルームの床面Ｆに既設の排水管１０が設けられると共に、該排水管１０の上端に既設のフランジ１２が固着されている。このフランジ１２には、排水器具接続用のボルト１４が立設されている。
【０００５】
第８図の通り、新しく据え付けられる洋風便器２０は、台座スカート部２２内の後部に下向きに排水口２４が設けられている。洋風便器２０の前部には便鉢２６が設けられ、トラップを介して該排水口２４に連通している。洋風便器２０の後部上面にはロータンク設置部２８が設けられている。
【０００６】
第４図の通り、この排水フランジ１２と便器排水口２４とを接続するための排水器具３０は、便器排水口２４が上方から差し込まれる排水ソケット３２と、フランジ１２に上方から係合するエルボ体３４と、両者を接続する横引きのアジャスタ管３６とを有する。排水ソケット３２は、トイレルーム床面Ｆ上に重なるベースプレート３７と、該ベースプレート３７から立ち上がる筒部３８と、該筒部３８の上端に装着されたリング形の排水ゴムジョイント４０と、筒部３８の側面に設けられたアジャスタ管接続部４２と、前記ベースプレート３７から後方に延設された位置決め部４４とを有する。
【０００７】
アジャスタ管３６は、種々の現場に対応できるように十分に長いものとなっており、現場寸法に合わせて丁度良い長さに切断される。
【０００８】
この長さ合わせを行うには、第５図のように、エルボ体３４をフランジ１２に被せておくと共に、アジャスタ管３６をアジャスタ管接続部４２に十分に深く差し込む。次いで、排水ソケット３２の位置決め部４４をトイレルームの壁面Ｗに当接させ、アジャスタ管３６をエルボ体３４の近傍に配置する。そして、エルボ体３４へのアジャスタ管３６の差し込み代を見込んで切断予定線Ｌをアジャスタ管３６に掛書く。
【０００９】
次いで、アジャスタ管３６を排水ソケット３２から抜き出し、上記線Ｌに沿って切断する。次いで、第６図の通り、アジャスタ管３６の両端に接着剤を塗った後、排水ソケット３２及びエルボ体３４に差し込む。なお、これに先立って位置決め部４４を破断除去しておく。これにより、第６図のように排水器具３０が完成する。
【００１０】
この排水器具３０のエルボ体３４の下端に対し、第７図のようにガスケット５６を装着し、既存フランジ１２に該ガスケット５６を押し付けるようにしてエルボ体３４を被せ、排水器具３０を床面Ｆ上に載置する。そして、エルボ体３４をボルト１４に対しナット締めすることにより固定する。また、排水ソケット３２のベースプレート３７を木ネジ５８及びワッシャ６０によって床面Ｆに固定する。
【００１１】
一方、洋風便器２０の底面の前後方向長さに応じて壁面Ｗから所定距離離隔させて床面Ｆ上に固定部材５０を配置し、この固定部材５０を木ネジ５２及びワッシャ５４によって床面Ｆに固定する。
【００１２】
その後、第８図の如く、洋風便器２０を床面上にゆっくりと降ろし、この際、排水口２４を排水ソケット３２のゴムジョイント４０に内嵌させる。この洋風便器２０の前部は、スカート部２２の下部の小孔６４を通して木ネジ６２を固定部材５０にねじ込むことにより固定される。この木ネジ６２には化粧キャップ６６が装着される。洋風便器２０の後部にあっては、前記木ネジ５８が洋風便器の後部を貫通して上方に突出している。この木ネジ５８にワッシャ７２を介してナット７０を締め込むことにより、洋風便器２０の後部が固定される。この木ネジ５８には化粧キャップ７４が被着される。
【００１３】
第９図は、洋風便器２０の排水口２４が排水ソケット３２に係合した様子を示す断面図である。
【００１４】
このように洋風便器２０を床面に固定した後、ロータンク７６、便座ボックス７７等の取り付けを行う。便座ボックス７７には便座７８、便蓋７９が取り付けられている。
【００１５】
なお、このような工法は例えば特開平９−１５８２９７号に開示されている。
【先行技術文献】
【特許文献】
【００１６】
【特許文献１】特開平９−１５８２９７号
【発明の概要】
【発明が解決しようとする課題】
【００１７】
上記従来の便器施工方法にあっては、アジャスタ管３６の長さ決めに際して、第５図の通りアジャスタ管３６を排水ソケット３２に仮組みし、エルボ体３４に沿って配置するのであるが、一旦嵌まったアジャスタ管３６を排水ソケット３２のアジャスタ管接続部４２から抜き出すのに著しい手間と時間がかかる。これは、アジャスタ管３６の外径と該接続部４２の内径の公差がきわめて小さく、また通常は、アジャスタ管３６とソケット３２とが同材質でなじみの良い塩化ビニル製とされ、両者の摩擦係数が大きいこと等に起因する。
【００１８】
また、アジャスタ管３６は、便鉢と干渉しないようにするために偏平状とされ、且つその向きが正しくなるようにするために、第６図の通り、向き合わせの凸部３６ａと凹部４２ａとがアジャスタ管３６及び接続部４２に設けられている。このため、アジャスタ管３６を接続部４２から抜き出すに際し、アジャスタ管３６を円周方向に回すことができない。これによっても、アジャスタ管３６の抜き出しが面倒なものとなっている。
【００１９】
本発明は、アジャスタ管を排水ソケットに仮組みすることなく寸法出しすることができる型紙と、この型紙を用いた便器施工方法を提供することを目的とする。
【課題を解決するための手段】
【００２０】
請求項１の型紙は、トイレルームの床面の排水管と洋風便器の排水口の位置がずれる場合の便器施工に用いられる型紙において、後端側をトイレルームの壁面に当接させ、前方に向ってトイレルーム床面上の洋風便器設置予定位置に展延される型紙であって、該排水管と排水口とを接続する排水器具の横引きアジャスタ管の基端位置を示す指示部が設けられていることを特徴とするものである。
【００２１】
請求項２の型紙は、請求項１において、該型紙の中央部には、前記排水器具が通り抜け可能な透口が前後方向に延設されており、前記指示部は、該型紙の側辺と直交する線状に設けられていることを特徴とするものである。
【００２２】
請求項３の型紙は、請求項１又は２において、該型紙の後端側には、洋風便器の機種に応じて延出長さを調整する目印線が設けられていることを特徴とするものである。
【００２３】
請求項４の型紙は、請求項１又は２において、該型紙の後端側から後方へ、該型紙より幅狭の延出片が設けられており、該延出片には、洋風便器の機種に応じて延出長さを調整する目印線が設けられていることを特徴とするものである。
【００２４】
請求項５の型紙は、請求項１ないし４のいずれか１項において、該型紙の先端側に、洋風便器をトイレルームの床面に固定するための固定部材の取付ビス位置を示す掛書き孔が設けられていることを特徴とするものである。
【００２５】
請求項６の便器施工方法は、トイレルームの床面の排水管と洋風便器の排水口の位置がずれる場合の便器施工方法であって、洋風便器の排水口が内嵌される排水ソケットと、排水管のフランジに装着されるエルボ体と、該排水ソケットとエルボ体とをつなぐ横引きのアジャスタ管とを有する排水器具を床面に設置した後、洋風便器の据え付けを行うようにした便器施工方法において、請求項１ないし５のいずれか１項に記載の型紙を、該型紙の後端側をトイレルームの壁面に当接させて床面上に展延させる工程と、該型紙の前記指示部に対しアジャスタ管の基端を合わせ、該アジャスタ管の先端側を前記排水管のフランジ中心に合わせて寸法出しして切断する工程と、該アジャスタ管と前記排水ソケット及びエルボ体とを組み付けて前記排水器具を組み立てる工程と、該排水器具のエルボ体を前記排水管のフランジに装着しつつ排水器具を床面上に設置する工程と、洋風便器を、その排水口を該排水器具の排水ソケットに内嵌させつつ据え付ける工程と、を有することを特徴とするものである。
【００２６】
請求項７の便器施工方法は、請求項６において、該型紙は請求項５に記載のものであり、前記掛書き孔を通してトイレルームの床面に取付ビス位置を掛書き、この掛書き位置に取付ビスを打つことにより前記固定部材を該床面に取り付け、前記洋風便器の据え付けに際し、洋風便器に設けられたビス挿通孔を通してビスを該固定部材に打つことにより洋風便器の前部を該固定部材に固定することを特徴とするものである。
【発明の効果】
【００２７】
本発明の型紙及び便器施工方法にあっては、型紙をその一端を壁面に当てて洋風便器据え付け予定床面に展延し、この型紙の指示部にアジャスタ管の基端を揃える。そして、アジャスタ管の先端側に、床面の排水管のフランジに合わせて切断予定線を付けて切断する。
【００２８】
このように、本発明によると、排水ソケットとアジャスタ管とを仮組みすることが不要であり、排水器具の寸法出し及び組み立て作業性が著しく向上し、洋風便器の据え付け作業時間を短縮することができる。
【００２９】
請求項２の型紙にあっては、トイレルームの床面上に該型紙を展延させ、この型紙の指示通りに排水器具を組み立てて床面上に取り付けた後、該排水器具を透口内を通り抜けさせるようにして容易に型紙を撤去することができる。
【００３０】
請求項３の型紙にあっては、新しく据え付けられる洋風便器の機種に応じた目印線に沿って型紙後端側の長さを調整することにより、当該機種の排水口に合わせて正確にアジャスタ管の寸法出しを行うことができる。
【００３１】
請求項４の型紙にあっては、延出片が型紙より幅狭となっているため、この延出片の折り曲げや切断等の長さ調整作業が容易となる。
【００３２】
請求項５の型紙にあっては、掛書き孔によって掛書いた位置に固定部材取付用のビスを打ち込むことにより、固定部材を正確に便器固定位置に設置することができる。
【図面の簡単な説明】
【００３３】
【図１】実施の形態に係る型紙８０の斜視図である。
【図２】型紙８０の平面図である。
【図３】アジャスタ管の寸法出しを説明する斜視図である。
【図４】従来の排水器具を示す斜視図である。
【図５】従来の排水器具のアジャスタ管の寸法合わせ説明図である。
【図６】従来の排水器具の組み立て説明図である。
【図７】従来の排水器具の取り付け説明図である。
【図８】洋風便器の据え付け状態を示す透視斜視図である。
【図９】洋風便器の据え付け状態を示す縦断面図である。
【図１０】洋風便器の据え付け状態を示す斜視図である。
【発明を実施するための形態】
【００３４】
以下、図面を参照して実施の形態について説明する。
【００３５】
第１図は実施の形態に係る型紙８０の斜視図、第２図は型紙８０の平面図、第３図はアジャスタ管の寸法出しを説明する斜視図である。
【００３６】
この型紙８０は、紙、合成樹脂などよりなる薄いシート状のものである。この型紙８０は、略長方形状である。なお、この長方形の長手方向を以下、前後方向ということがある。この型紙８０の中央には、長手方向（前後方向）に延在した切り抜き部８２が設けられている。この切り抜き部８２の後端縁８２ａは、排水ソケットの位置合わせ用となっている。
【００３７】
この型紙８０の後端辺からは後方に方形の延出片８４が延設されている。この延出片８４には、型紙８０の短手幅と平行方向に複数の目印線８４ａ，８４ｂ，８４ｃ，８４ｄが印刷されている。
【００３８】
型紙８０の前部にあっては、前記固定部材５０用木ネジ５２を打つ位置を掛書くための複数対の掛書き孔８６ａ〜８６ｅが設けられている。各掛書き孔８６ａ〜８６ｅは、前後方向位置を異ならせて配置されている。
【００３９】
この型紙８０の長手方向の側辺部にあっては、所定位置に型紙８０の短手幅方向に延在する指示部８８が印刷されている。この指示部８８は、延出片８４をトイレルームの壁面Ｗに当接させて床面上に展延した状態において、排水ソケット３２のアジャスタ管接続部４２の最奥部に合致した位置である。前記の目印線８４ａ〜８４ｄは、洋風便器の機種等に応じて設定されている。
【００４０】
この型紙８０を用いた洋風便器の据え付け作業手順について次に説明する。
【００４１】
第２図のように、この型紙８０の延出片８４をトイレルームの壁面Ｗに当接させ、該型紙８０を床面の洋風便器設置予定域上に平たく広げる。前記切り抜き部８２は、床の既設フランジ１２が該切り抜き部８２内に納まる大きさとなっている。この状態で洋風便器の機種に応じた掛書き孔８６ａ〜８６ｅのいずれかを利用して、ビス打ち予定位置を床面に掛書く。
【００４２】
また、第３図のように、前記指示部８８に、バラした単品状態のアジャスタ管３６の基端を揃え、該アジャスタ管３６を型紙８０の側辺に沿って前方に延在させる。そして、既設フランジ１２の中心に合わせて切断予定線Ｌをアジャスタ管３６に掛書く。アジャスタ管３６は、エルボ体３４、排水ソケット３２それぞれのみ込み代が決まっているが、指示部８８は、フランジ１２の中心から合わせることで便器排水口２４と排水管１０を接続する排水器具３０の長さが適切となるように記されている。
【００４３】
その後、この線Ｌに沿ってアジャスタ管３６を切断し、アジャスタ管３６の両端に接着剤を塗って排水ソケット３２及びエルボ体３４に差し込み、排水器具３０を組み立てる。
【００４４】
また、型紙８０を撤去した後、掛書き孔８６ａ〜８６ｅのいずれかによって掛書いた位置にビス打ちすることにより、前記固定部材５０を床面にビス留めする。
【００４５】
その後の工程は前記第７図〜第１０図の通りである。即ち、組み立てた排水器具３０のエルボ体３４をガスケット５６を介して既存フランジ１２に被装し、ワッシャ１６を介してナット１８を締める。また、排水ソケット３２は、木ネジ５８によって床面に固定する。
【００４６】
洋風便器２０を第８図のように据え付け、木ネジ６２、ナット７０をねじ込み、化粧キャップ６６，７４を被せ、その後、ロータンク７６等を設置する。これにより、洋風便器の付け替えが行われる。
【００４７】
この実施の形態では、アジャスタ管３６の寸法出しに際し、アジャスタ管３６を単品状態で型紙８０に沿わせるだけでよく、排水ソケット３２を仮組みしないので、排水器具３０の組み立て作業時間が著しく短縮される。
【００４８】
本実施の形態では、延出片８４が幅狭であるため、切断又は折り曲げが容易である。
【００４９】
なお、上記実施の形態では延出片８４の最後辺を壁面Ｗに当てているが、洋風便器の機種によっては目印線８４ａ〜８４ｄのいずれかに沿って延出片８４を切断又は折り曲げしてから壁面Ｗに当てる。これら目印線８４ａ〜８４ｄがミシン目よりなる場合、切断又は折り曲げが容易となる。
【符号の説明】
【００５０】
３０  排水器具
３２  排水ソケット
３４  エルボ体
３６  アジャスタ管
４０  排水ゴムジョイント
５０  固定部材
８０  型紙
８２  切り抜き部
８４  延出片
８４ａ〜８４ｄ  目印線
８６ａ〜８６ｅ  掛書き孔
８８  指示部
【図１】
2010101165.tif 000003
【図２】
2010101165.tif 000004
【図３】
2010101165.tif 000005
【図４】
2010101165.tif 000006
【図５】
2010101165.tif 000007
【図６】
2010101165.tif 000008
【図７】
2010101165.tif 000009
【図８】
2010101165.tif 000010
【図９】
2010101165.tif 000011
【図１０】
2010101165.tif 000012